(57)【要約】【課題】  構成が簡単でコストを低く抑えることが可能なディスクローディング機構及びディスクドライブ装置を提供すること。【解決手段】  情報記録面を有するディスク状記録媒体及びこのディスク状記録媒体を入れたカートリッジのいずれも載置可能であり、このディスク状記録媒体又はカートリッジを水平又は垂直に選択的に載置するトレイが移送されてフレーム本体に移送されるとき、前記ディスク状記録媒体の中心が再生時の中心に一致するように、前記情報記録面から記録情報を光学的に読み出す光ピックアップ部と前記情報記録面とを近づけると共に、前記フレーム本体の側面に設けられた一対の回動ロック部材を内側に回動し、前記フレーム本体に移送された前記ディスク状記録媒体又は前記カートリッジを保持する。【選択図】図７
2006147101.tif 000002
【特許請求の範囲】
【請求項１】
情報記録面を有するディスク状記録媒体及びこのディスク状記録媒体を入れたカートリッジのいずれも載置可能であり、このディスク状記録媒体又はカートリッジを水平又は垂直に選択的に載置するトレイが移送されてフレーム本体に移送されるとき、
前記ディスク状記録媒体の中心が再生時の中心に一致するように、前記情報記録面から記録情報を光学的に読み出す光ピックアップ部と前記情報記録面とを近づけると共に、前記フレーム本体の側面に設けられた一対の回動ロック部材を内側に回動し、前記フレーム本体に移送された前記ディスク状記録媒体又は前記カートリッジを保持することを特徴するディスクローディング機構。
【請求項２】
情報記録面を有するディスク状記録媒体及びこのディスク状記録媒体を入れたカートリッジのいずれも載置可能であり、このディスク状記録媒体又はカートリッジを水平又は垂直に選択的に載置するトレイと、
このトレイを移送して収納するフレーム本体と、
前記情報記録面から記録情報を光学的に読み出す光ピックアップ部と、
前記トレイが移送されて前記フレーム本体に収納されるとき、前記ディスク状記録媒体の中心が再生時の中心に一致するように、前記情報記録面から記録情報を光学的に読み出す光ピックアップ部と前記情報記録面とを近づける機構と、
前記フレーム本体の側面に設けられ、前記トレイが前記フレーム本体に収納されたとき、前記フレーム本体の内側に回動し、前記フレーム本体に移送された前記ディスク状記録媒体又は前記カートリッジを保持する一対の回動ロック部材と、
を有して成ることを特徴とするディスクドライブ装置。
【請求項３】
情報記録面を有するディスク状記録媒体及びこのディスク状記録媒体を入れたカートリッジのいずれも載置可能であり、このディスク状記録媒体又はカートリッジを水平又は垂直に選択的に載置するトレイと、
このトレイを移送して収納するフレーム本体と、
前記情報記録面から記録情報を光学的に読み出す光ピックアップ部と、
前記トレイが移送されて前記フレーム本体に収納されるとき、前記ディスク状記録媒体の中心が再生時の中心に一致するように、前記情報記録面から記録情報を光学的に読み出す光ピックアップ部と前記情報記録面とを近づける機構と、
前記フレーム本体の側面に設けられた一対の回動ロック部材を備え、
前記回動ロック部材は、
前記トレイが前記フレーム本体に収納されたとき、前記フレーム本体の内側に回動して、前記ディスク状記録媒体又は前記カートリッジを保持する第１の突起部と、前記トレイが前記フレーム本体に収納されたとき、前記光ピックアップ部の移動に伴い前記ピックアップ部の一部に摺動する斜面を有する第２の突起部とが一体に設けられた部材であるを特徴とするディスクドライブ装置。
【請求項４】
前記トレイは、前記ディスク状記録媒体が垂直に載置されたときこのディスクを保持し、前記カートリッジが置かれたとき、回転して収納される、複数のディスク保持部材を有することを特徴とする請求項２又は３記載のディスクドライブ装置。
【請求項５】
前記トレイは、前記ディスク状記録媒体が垂直に載置されたときこのディスクを保持し、前記カートリッジが置かれたとき、前記ディスク状記録媒体の記録面に平行に移動して収納されるディスク保持部材を有することを特徴とする請求項４記載のディスクドライブ装置。
【発明の詳細な説明】
【技術分野】
【０００１】
本発明は、光ディスクのドライブ装置に係り、特にベアディスクとカートリッジタイプディスクの両方を選択的に、垂直状態でもローディング可能なディスクローディング機構及びディスクドライブ装置に関する。
【背景技術】
【０００２】
従来から、光ディスクを水平状態でも垂直状態でもローディング可能なドライブ装置は知られている。例えば、特許文献１に記載されているディスク装置は、ディスクがトレイに回転可能に支持され、垂直姿勢におけるローディング時にはディスクをトレイ内に保持し、クランプ時には、ディスクに干渉しない位置へ退避するディスク保持部材により垂直状態のディスクをローディングする。
【０００３】
一方、図１４に示されるローディング機構も知られている。この機構は、メイントレイ１の他サブトレイ２を有し、カートリッジタイプのディスクをローディングするときには、サブトレイが矢印方向にスライドして、カートリッジを収納する。一方、ベアディスクを垂直状態でローディングするときには、奥に設けられている垂直保持爪部３ａ，３ｂと手前の垂直保持レバー４ａ，４ｂによって、ディスクを保持して移送し、クランプされる。
【０００４】
しかし、上述のいずれの機構も構成が複雑であり、コスト高になるという問題があった。
【特許文献１】特許第３０６７５３３号公報
【発明の開示】
【発明が解決しようとする課題】
【０００５】
本発明は上記のような従来の、ベアディスクやカートリッジタイプのディスクを垂直状態でローディングする機構の問題点にかんがみてなされたもので、構成が簡単でコストを低く抑えることが可能なディスクローディング機構及びディスクドライブ装置を提供することを目的とする。
【課題を解決するための手段】
【０００６】
本発明の請求項１によれば、情報記録面を有するディスク状記録媒体及びこのディスク状記録媒体を入れたカートリッジのいずれも載置可能であり、このディスク状記録媒体又はカートリッジを水平又は垂直に選択的に載置するトレイが移送されてフレーム本体に移送されるとき、前記ディスク状記録媒体の中心が再生時の中心に一致するように、前記情報記録面から記録情報を光学的に読み出す光ピックアップ部と前記情報記録面とを近づけると共に、前記フレーム本体の側面に設けられた一対の回動ロック部材を内側に回動し、前記フレーム本体に移送された前記ディスク状記録媒体又は前記カートリッジを保持することを特徴するディスクローディング機構を提供する。
【０００７】
本発明の請求項２によれば、情報記録面を有するディスク状記録媒体及びこのディスク状記録媒体を入れたカートリッジのいずれも載置可能であり、このディスク状記録媒体又はカートリッジを水平又は垂直に選択的に載置するトレイと、このトレイを移送して収納するフレーム本体と、前記情報記録面から記録情報を光学的に読み出す光ピックアップ部と、前記トレイが移送されて前記フレーム本体に収納されるとき、前記ディスク状記録媒体の中心が再生時の中心に一致するように、前記情報記録面から記録情報を光学的に読み出す光ピックアップ部と前記情報記録面とを近づける機構と、前記フレーム本体の側面に設けられ、前記トレイが前記フレーム本体に収納されたとき、前記フレーム本体の内側に回動し、前記フレーム本体に移送された前記ディスク状記録媒体又は前記カートリッジを保持する一対の回動ロック部材と、を有して成ることを特徴とするディスクドライブ装置を提供する。
【０００８】
本発明の請求項３によれば、情報記録面を有するディスク状記録媒体及びこのディスク状記録媒体を入れたカートリッジのいずれも載置可能であり、このディスク状記録媒体又はカートリッジを水平又は垂直に選択的に載置するトレイと、このトレイを移送して収納するフレーム本体と、前記情報記録面から記録情報を光学的に読み出す光ピックアップ部と、前記トレイが移送されて前記フレーム本体に収納されるとき、前記ディスク状記録媒体の中心が再生時の中心に一致するように、前記情報記録面から記録情報を光学的に読み出す光ピックアップ部と前記情報記録面とを近づける機構と、前記フレーム本体の側面に設けられた一対の回動ロック部材を備え、前記回動ロック部材は、前記トレイが前記フレーム本体に収納されたとき、前記フレーム本体の内側に回動して、前記ディスク状記録媒体又は前記カートリッジを保持する第１の突起部と、前記トレイが前記フレーム本体に収納されたとき、前記光ピックアップ部の移動に伴い前記ピックアップ部の一部に摺動する斜面を有する第２の突起部とが一体に設けられた部材であることを特徴とするディスクドライブ装置を提供する。
【発明の効果】
【０００９】
本発明によれば、ベアディスクやカートリッジタイプのディスクを垂直状態でローディングが可能であり、構造が簡単で低コストで製造可能なディスクローディング機構及びディスクドライブ装置が得られる。
【発明を実施するための最良の形態】
【００１０】
以下、本発明の実施形態について図面を用いて説明する。図１は、本発明の一実施形態の斜視図である。このディスクドライブ装置は、フレーム本体１１と、このフレーム本体１１に挿入可能なトレイ１２とから成る。トレイ１２は、中央にベアディスクが置かれるディスク載置部１３を有しこのディスク載置部に置かれるディスクの周囲に設けられたディスク保持部材１４ａ，１４ｂ，１４ｃを有し、ディスク載置部１３にはフレーム本体１１のマウントシャーシ１４ｓに設けられた光ピックアップ部１５からのレーザ光がディスク載置部１３に置かれたディスクに照射されるように、トレイ１２の挿入方向に開口１６が設けられている。
【００１１】
トレイ１２及びフレーム本体が水平に置かれた状態でベアディスクが挿入されたときには、上記ディスク保持部材１４ａ，１４ｂ，１４ｃは、このベアディスクに接しないが、トレイ１２及びフレーム本体が垂直に置かれた状態でベアディスクが挿入されたときには、ディスク保持部材１４ａ，１４ｃあるいはディスク保持部材１４ｂ，１４ｃでこのベアディスクを保持することになる。
【００１２】
なお、本発明の説明で、ベアディスクはカートリッジに収納されていないディスクを意味し、単にディスクと記述することもある。
【００１３】
ディスク載置部１３に一旦載置された光ディスク（図示せず）は、トレイ１２がフレーム本体に挿入されたとき、ディスクモータ１７により回転せしめられる。フレーム本体１１内のマウントシャーシ１４ｓ上に設けられているピックアップトラバース機構１８は、この回転するディスクから情報を読み出すために上記光ピックアップ部１５を半径方向に移動させるためのものである。これらのマウントシャーシ１４ｓ上に光ピックアップ部１５、ピックアップトラバース機構１８が設けられており、ベアディスクやカートリッジがフレーム本体に移送されたときには、光ピックアップ部１５がディスクに近い方向に移動し、クランピングする機構になっている。この光ピックアップ部１５を昇降可能に保持する部材を光ピックアップ昇降部という。
【００１４】
フレーム本体１１のトレイ１２が挿入される方向の両側面には、後で詳述する回動ロック部材１９ａ，１９ｂが設けられている。
【００１５】
トレイ１２の拡大図を図２に示す。これらのディスク保持部材１４ａ，１４ｂ，１４ｃは、ディスクの水平載置時には、ディスクの装着、取り出し時に、干渉して操作性が損なわれることがないよう、ディスク載置部１３のディスクの外周側に設けられる。ディスク保持部材１４ａ，１４ｂは、各々ばねで付勢する構造を有し、ディスク保持部材１４ｃはスライドによりディスクを支持する構造を有する。すなわち、トレイが水平に置かれた状態で、図示しないベアディスクがディスク載置部１３に置かれたときには、ディスク保持部材１４ｃは移動しない。しかし、トレイが垂直に置かれた状態で、ベアディスクがディスク載置部１３に置かれたときには、図３に示すようにホルダ圧縮ばね３１が圧縮されディスク保持部材１４ｃが矢印Ｃに示すように押された後、戻されて、ベアディクスが保持される。
【００１６】
一方、ディスク保持部材１４ｂは、図４に示すようにホルダトーションばね４１が設けられている。トレイが垂直に置かれた状態でベアディスク４０が挿入されたときには、図１１に示されるようにこのベアディスク４０を保持する。
【００１７】
また、後述するようにトレイが水平に置かれた状態でカートリッジ５１に入れられたディスクが挿入されたときには、ホルダトーションばね４１の作用によってディスク保持部材１４ｂは矢印Ｄ方向に回動し突起がディスク載置部の下方に入り、その上にカートリッジ５１が置かれた配置となる。ディスク保持部材１４ａも上記ディスク保持部材１４ｂと同様に作用する。
【００１８】
トレイ１２が水平に置かれた状態で、図５に示すカートリッジ５１がトレイ１２に挿入されると、カートリッジ５１の左前側溝５２にクリック板ばね２１ａ（図２参照）が入り、背面右凹部５３にクリック板ばね２１ｂが挿入されることになる。クリック板ばね２１ｂの拡大図を図６に示す。トレイ１２には、カートリッジタイプのディスクが入れられたとき、カートリッジを保持するためのクリック板ばね２１ａ，２１ｂ各々が、トレイ１２の前面２３から見て左奥と右前面の対角線上に配設されている。
【００１９】
使用者は、ディスクを取り出す際、トレイ１２の開口１６の部分に指を入れてベアディスクやカートリッジを掴むことができる。この開口１６を設けたことにより、トレイ１２の前面に壁を形成することができ、防塵、異物挿入防止のための蓋やロック機構の別部品を外装パネル側に必要としない。
【００２０】
図１でフレーム本体１１のディスクが挿入される方向の側面に設けられた回転ロック部材１９ａの拡大された斜視図を図７に示す。ベアディスクやディスクが入ったカートリッジはトレイを押すことにより、矢印Ｅの方向に移送される。このとき、回動ロック部材１９ａは矢印１９ａの方向に回動して、ベアディスクあるいはカートリッジを、回動ロック部材１９ｂとで挟むようになる。ベアディスクが挿入された場合には、回動ロック部材１９ｂの第１の突起側面部７１ａでベアディスクを押さえ、カートリッジが挿入された場合には、この第１の突起側面部７１ａと、第１の突起上面部７２ａにより、カートリッジを押さえることになる。第１の突起側面部７１ａと第１の突起上面部７２ａを第１の突起部という。
【００２１】
トレイ１２が水平に置かれた状態で、ベアディスクがトレイに置かれフレーム本体に挿入されると、図示していないが、所定の機構により光ピックアップ部１５をこの挿入されてきたベアディスクの方向に近づけるように作動する。
【００２２】
回動ロック部材１９ａの下部には、図７において上面が内側に向けて傾斜した第２の突起部７４ａが設けられている。上記のように光ピックアップ部１５がベアディスクのほうに近づくと、回動ロック部材１９ａが回動し、第２の突起部７４ａでカートリッジなどを押さえることになる。回動ロック部材１９ｂも同様な構造を有する部材である。
【００２３】
次に本発明のこの実施形態の動作を説明する。まず、図１に示したディスクドライブ装置が垂直に置かれた状態でベアディスクが挿入された場合について述べる。トレイ１２のディスク載置部１３にベアディスク４０が入れられる。すると、図８に示すように、このベアディスク４０は、ディスク載置部１３には、完全には載置されておらず、ディスク保持部材１４ｂ，１４ｃにより保持された状態となっている。
【００２４】
この状態で、トレイ１２の前面２３を押すあるいは開閉ボタンを押すと、トレイ１２は、ベアディスク４０を保持したまま矢印Ｈ方向に移送され、フレーム本体１１の方に入る。このとき、ベアディスク４０の縁部が、回動ロック部材１９ｂの第１の突起側面部７１ｂに当たり、図９に示すような状態となる。
【００２５】
また、図１２に示すように、トレイ１２がフレーム本体１１に完全に挿入されていない状態では光ピックアップ昇降部８２は下方（ベアディスクが挿入される面よりも離れた位置）にある。次に、図９に示すように、ベアディスクがフレーム本体１１の方に移送されると、回動ロック部材１９ｂは矢印Ｊに示すように回動し、その第１の突起側面部７１ｂで、ベアディスクの縁部を保持する。
【００２６】
それと共に、図１３に示すように所定の機構により光ピックアップ昇降部８２を矢印Ｋ方向に移動させる。この動作により、光ピックアップ昇降部８２に載置されている光ピックアップ部１５を、移送されてきたディスクの情報記録面に近づける。そして回動ロック部材１９ａの第２の突起部７４ａの上側の斜面部がこの光ピックアップ昇降部８２の一部に摺接しながらバネ力によって移動する。
【００２７】
一方、回動ロック部材１９ａも同様に動作しディスクを保持するので、ディスクは図９の矢印Ｊ方向に移動し、回動ロック部材１９ｂと回動ロック部材１９ａによりディスクを挟む形となる。
【００２８】
上述のように、回動ロック部材１９ａ，１９ｂの下部には第２の突起部材７４ａ，７４ｂがあるので、マウントシャーシ１４ｓに載置されている光ピックアップ部１５が移動するときに、第２の突起部材７４ａ，７４の傾斜面により、回動ロック部材１９ａ，１９ｂが回動する。これと共に、光ピックアップ部１５はベアディスク４０に近づくようにロックされる。したがって、ベアディスク４０は矢印Ｊ方向に少し移動してマウントされる。
【００２９】
このようにして、光ピックアップ昇降部８２の上昇（すなわち、光ピックアップ部１５をベアディスク４０に近づけること）が所定の機構によりなされるとき、トレイ１２の移送方向のフレーム本体側面に設けられた回動ロック部材１９ａ及び回動ロック部材１９ｂを内側に回動動作させることにより、ベアディスクの保持を行うことになる。
【００３０】
この後、モータによってこのベアディスク４０を回転させ、情報の再生などを行う。情報の再生が終了すると、ディスクの回転を停止し、図示しないボタンを押すことにより、光ピックアップ部１５をベアディスク４０から離して、トレイをフレーム本体から移送することになる。
【００３１】
次に、この実施形態のディスクドライブ装置をトレイが水平に置かれた状態で、カートリッジに収納されたディスクを再生する場合の動作について説明する。
【００３２】
図５に示すような、左前側溝５２と背面右凹部５３を有するカートリッジ５１が、トレイ１２に置かれると、このカートリッジの載置により、図１１に示すようにディスク保持部材１４ｂ，１４ａが押されて矢印Ｄに示す方向に回転する。一方、図２に示すように、左前側溝５２と背面右凹部５３に各々クリック板ばね２１ａ，クリック板ばね２１ｂが嵌合し、カートリッジ５１がセットされる。
【００３３】
この状態で、トレイ１２がフレーム本体内に移送され、図７に示すようにカートリッジがＥ方向に移送される。このとき、回動ロック部材１９ａは内側に回動し、第１の突起上面部７２ａ及び第１の突起側面部７１ａにより、カートリッジを規制し、保持することになる。
【００３４】
このときにも、回動ロック部材１９ａの回動により、図１３に示すように第２の突起部７４ａの上側斜面によって、光ピックアップ部の移動（図では上昇）に連動して回動ロック部材が回動する。
【００３５】
このような状態でディスクの再生が行われ、再生が終了すると、トレイがフレーム本体から移送される。
【００３６】
本発明のこの実施形態によれば、一対の回動ロック部材の内側への回動動作によって、ベアディスクや、カートリッジを押さえて保持する機能と、その回動動作がピックアップ部の移動に連動し特別な駆動系（モータ等）を必要とせずに行われるという利点がある。
【００３７】
本発明の上記実施形態では、トレイ上に設けた３つの比較的小さなディスク保持部材とドライブ反対側のカートリッジ付勢アームによりカートリッジのローディング及びベアディスクの垂直使用を可能にしているので、図１４に示した従来の装置に比較して、機構の簡素化、及び部品点数の削減が可能となる。また上記従来の装置と異なり、トレイに設けた３つのディスク保持部材は、ディスク外形より外側に配置しフレーム本体までディスクが搬送された後、クランプ動作に連動して付勢アームがディスクを中心近傍まで移送してクランプさせるように構成している。
【００３８】
したがって、水平に置いた状態で使用する場合にも、通常の水平限定対応ドライブと同様にディスクをトレイ上に真上から搭載でき、良好な操作性を維持できる効果がある。また、トレイを従来のベアディスク用ドライブと同様に簡素な形状で構成できるので、トレイの両サイドにディスク・カートリッジ取出部を形成し前端部には異物侵入防止壁を設けることが可能となり、外装パネルに必要であった可動ふた、その他のロック機構が不要となる。
【００３９】
また、この実施形態では、トレイ上に回転・スライド可能に支持した３つのディスク保持部材とドライブ本体に取り付けたカートリッジ付勢兼ディスク移送アームにより、簡単な構成でカートリッジ・ベアディスク及び水平・垂直対応を可能として、省スペース、部品点数、コストの削減を実現することができた。
【００４０】
またトレイ上の３つの保持部材をディスク外形の干渉しない位置に配置しトレーローディング完了後、クランプ動作に連動して付勢アームが作用してベアディスクを中央近傍まで移送し、クランプさせる構造により、従来のベアディスク専用ドライブと同等のベアディスク装着操作性を実現した。また、カートリッジ使用時においてはカートリッジ筐体に押圧されてトレイ上３つのホルダーが退避しトレイ内に収納されトレイがドライブ本体内に搬送後、付勢アームが作用してカートリッジがトレイ上に付勢される。
【００４１】
また、本発明におけるトレイのカートリッジ保持の構造の点では、カートリッジの左前側溝と背面右凹部２箇所をクリップばねにより係支させカートリッジ対角線上を規制することによって、トレイ上にカートリッジを保持させるように構成し、構造の簡素化、部品点数及びコストの削減を図ったカートリッジの垂直保持方法に特徴がある。
【００４２】
また、トレイ構造を２ピースとせず、従来のベアディスクドライブ同様の肉厚構造にできるので、ディスク・カートリッジ取出用の開口部をトレイ中央両サイドに設けることができ、従来のカートリッジ対応推計垂直兼用ドライブに見られたトレイ前端部の開口部を設ける必要がない。したがってトレイ全面に固定壁を設けることができ、ドライブ外装前面パネルに必要であった塵埃、及び指・異物の進入防止用の可動式扉及びロック機構を不要とする構造が可能となった。
【００４３】
本発明のカートリッジ対応の垂直・水平対応ドライブでは、ベアディスク専用あるいは水平姿勢限定のドライブと同様の操作性を有すると共に機構の簡素化による部品点数の削減、省スペース・コスト化を実現できる。
【００４４】
また、カートリッジの左前側溝の背面右凹部２箇所をクリックばねにより係支させカートリッジ対角線上を規制することによってトレイ上にカートリッジを保持するように構成し、構造の簡素化、部品点数及びコストの削減を図ることができた。また、このカートリッジのトレイの垂直保持方法もなされ、構造簡素で部品点数削減省スペース低コストで、カートリッジの操作性を向上させることができた。
【００４５】
トレイの構造を２ピースとせず従来のベアディスクドライブ同様の肉厚構造にできるので、ディスク・カートリッジ取出し用の開口部をトレイ中央両サイドに設けることができ、従来のカートリッジ対応水平兼用ドライブに見られたトレイ前端の塵埃侵入及び指・異物進入防止用の可動式扉およびそのロック機構をなくすることができた。
【００４６】
なお、上記本発明の実施形態では、ディスクドライブ装置にディスクが挿入される場合について述べたが一般的にはディスク状記録媒体であればよい。
【００４７】
上記実施形態では、トレイがフレーム本体に移送されるとき光ピックアップ部をデスクに近づけるように動作する場合について述べた。しかし、本発明は必ずしもこの必要はなく、移送されるディスクの中心が、ディスク再生時の中心に一致するようにマウントされればよい。
【図面の簡単な説明】
【００４８】
【図１】本発明一実施形態のディスクドライブ装置の構造を示す斜視図。
【図２】本発明一実施形態のディスクドライブ装置におけるトレイ１２の構造を示す斜視図。
【図３】本発明一実施形態のトレイ１２におけるディスク保持部材１４ｃを示す拡大斜視図。
【図４】本発明一実施形態のトレイ１２におけるディスク保持部材１４ｂを示す拡大斜視図。
【図５】本発明一実施形態のディスクドライブ装置に用いるカートリッジの外形を示す斜視図。
【図６】本発明一実施形態のトレイ１２におけるクリック板ばね２１ｂを示す拡大斜視図。
【図７】本発明一実施形態のディスクドライブ装置における回動ロック部材１９ａを示す拡大斜視図。
【図８】本発明一実施形態のディスクドライブ装置においてベアディスクをフレーム本体内に移送する状態を示す図。
【図９】本発明一実施形態のディスクドライブ装置において、回動ロック部材の回動によりベアディスクを保持する状態を示す図。
【図１０】本発明一実施形態のディスクドライブ装置において、トレイにベアディスクが載置されたときのディスク保持部材１４ｂの動作を説明するための図。
【図１１】本発明一実施形態のディスクドライブ装置において、トレイにカートリッジが載置されたときのディスク保持部材１４ｂの動作を説明するための図。
【図１２】本発明一実施形態のディスクドライブ装置において、回動ロック部材が回動する前の光ピックアップ昇降部の状態を示す図。
【図１３】本発明一実施形態のディスクドライブ装置において、回動ロック部材が回動した後の光ピックアップ昇降部の状態を示す図。
【図１４】従来のディスクドライブ装置の構造を示す斜視図。
【符号の説明】
【００４９】
１１・・・フレーム本体、
１２・・・トレイ、
１３・・・ディスク載置部、
１４ａ，１４ｂ，１４ｃ・・・ディスク保持部材、
１４ｓ・・・マウントシャーシ、
１５・・・光ピックアップ部、
１６・・・開口、
１７・・・ディスクモータ、
１８・・・ピックアップトラバース機構、
１９ａ，１９ｂ・・・回動ロック部材、
２１ａ，２１ｂ・・・クリック板ばね、
３１・・・ホルダ圧縮ばね、
４０・・・ベアディスク、
４１・・・ホルダトーションばね、
５１・・・カートリッジ、
５２・・・左前側溝、
５３・・・背面右凹部、
７１ａ・・・第１の突起側面部、
７２ａ・・・第１の突起上面部、
７４ａ・・・第２の突起部、
８２・・・光ピックアップ昇降部。
【図１】
2006147101.tif 000003
【図２】
2006147101.tif 000004
【図３】
2006147101.tif 000005
【図４】
2006147101.tif 000006
【図５】
2006147101.tif 000007
【図６】
2006147101.tif 000008
【図７】
2006147101.tif 000009
【図８】
2006147101.tif 000010
【図９】
2006147101.tif 000011
【図１０】
2006147101.tif 000012
【図１１】
2006147101.tif 000013
【図１２】
2006147101.tif 000014
【図１３】
2006147101.tif 000015
【図１４】
2006147101.tif 000016